(57)【要約】【課題】管理情報読取装置により複数の物品に付された管理情報を一括して読み取り、その管理情報をネットワークを介してサーバに送信することにより、複数の管理情報読取装置により読み取られた物品の棚卸し管理を容易に且つ確実に行なう棚卸管理システムを提供する。【解決手段】このファイル読取装置３２は、書類３１を収納したホルダ３０をセットする物品セット部３３と、管理情報をリード、又はライトするための電波を授受するアンテナ９と、ＩＤコードをリードするための電波を受信するアンテナ３４と、ＲＦタグ２００ｂとの間で所定の変復調方式に基づく搬送電力の送信とデータの授受を行うリーダライタ１００と、操作部４４と、ネットワーク４１介して図示しない外部サーバと通信を行なう図示しない通信手段４３と、リーダライタ１００、通信手段４３及び操作部４４を制御する図示しない制御部４０と、を備えて構成されている。【選択図】図３
2007233768.tif 000002
【特許請求の範囲】
【請求項１】
管理情報を記録した非接触情報記録媒体を付した物品をセットする物品セット部と、前記非接触情報記録媒体に対して前記管理情報をリード、又はライトするための電波を授受するアンテナと、前記非接触情報記録媒体との間で所定の変復調方式に基づく搬送電力の送信とデータの授受を行うリーダ又はリーダライタと、操作部と、ネットワークを介して外部サーバと通信を行なう通信手段と、前記リーダ又はリーダライタ及び前記通信手段を制御する制御部と、を備え、
前記物品を前記物品セット部にセットした後、前記操作部を操作することにより読み取りを開始すると、前記制御部は、前記管理情報を前記アンテナを介して前記リーダ又はリーダライタにより読み取り、該管理情報を記憶することを特徴とする管理情報読取装置。
【請求項２】
前記アンテナは、前記物品を前記物品セット部にセットした際に、少なくとも前記物品に付された非接触情報記録媒体との交信が可能な位置に配置されることを特徴とする請求項１に記載の管理情報読取装置。
【請求項３】
許可された使用者に与えられたＩＤコードを記録した非接触情報記録媒体から前記ＩＤコードをリードするための電波を受信する他のアンテナを更に備えたことを特徴とする請求項１又は２に記載の管理情報読取装置。
【請求項４】
少なくともホルダを認識するＩＤを記録した非接触情報記録媒体を付したホルダに前記物品が少なくとも１つ以上収納されている場合、該ホルダを前記物品セット部にセットした後、前記操作部を操作することにより読み取りが開始されると、前記制御部は、前記ホルダＩＤ及び前記管理情報を前記アンテナを介して前記リーダ又はリーダライタにより読み取り、前記ホルダＩＤと前記管理情報とを関連付けて記憶することを特徴とする請求項１、２又は３に記載の管理情報読取装置。
【請求項５】
少なくとも１つ以上の請求項１乃至４の何れか一項に記載の管理情報読取装置と、サーバと、該サーバと前記管理情報読取装置との通信を仲介するネットワークと、を備え、
前記サーバは、前記各管理情報読取装置の前記通信手段により送信される前記管理情報又は前記ホルダＩＤ及び前記管理情報を受信することにより、各管理情報読取装置により読み取られた物品の棚卸しを管理することを特徴とする棚卸管理システム。
【発明の詳細な説明】
【技術分野】
【０００１】
本発明は、管理情報読取装置及び棚卸管理システムに関し、さらに詳しくは、管理情報読取装置により読み取られたホルダＩＤと物品の管理情報に基づいて、棚卸し管理を行なう棚卸管理システムに関するものである。
【背景技術】
【０００２】
従来から会社、店舗等では、夫々が保有、管理する資産、資材、商品、製品等が帳簿上の数量と一致するか否かを確認するために定期的に棚卸が行われる。この棚卸の主たる目的の一つは、資産、商品、製品等が不正持ち出し、盗難等に遭遇して紛失しているか否かをチェックすることにある。また、例えば、会社等では上記の如き資産類に限らず、重要書類等が所定のホルダに保管されているか否かをチェックするためにも定期的な棚卸が重要である。そして、これらのファイルを自動的に管理するために、近年では各ファイルにＲＦタグを付し、そのＲＦタグにファイルの管理情報を記録してファイル管理を自動化する動きが活発化している。特に、最近では、トンネルリーダライタ内にＲＦタグが積層した状態（２ｍｍ間隔）において１００枚重ね一括同時読み取り・書込みが約１秒で可能なタイプのＲＦタグが出現している。そこで、積層状態、混載状態にあるＲＦタグを一括同時読み取り・書込みを行なうために、「ＩＳＯ１８０００−３  モード２」の規格に合致したリーダライタが必要となる。
【０００３】
しかしながら、これらのファイル管理を確実に実施しようとすると、システムの開発までに多大の時間とコストを要することになる。また、このようなシステムを構築する場合、ファイルを１箇所に集約して管理するのが一般的であり、ファイルの利用者にとっては必ずしも利便性が良いとは限らなかった。即ち、利用者にとっては、日常的に使用するファイルは手元にある方が利便性は高まる。
また、棚卸を管理する従来技術として特許文献１には、物品を収納し、且つＲＦＩＤタグに記録されている管理情報を読み書きするための電波を授受するアンテナを有する収納棚と、ＲＦＩＤタグに対して管理情報の読み書きを行うリーダライタと、このリーダライタを制御する制御ＰＣ（制御手段）と、収納棚に収納されているホルダ群の中から希望するホルダを予約する利用者ＰＣ（情報処理装置）と、制御ＰＣと利用者ＰＣを接続するネットワークとを備えて構成される物品管理システムについて開示されている。
【特許文献１】特開２００５−３１４０１２公報
【発明の開示】
【発明が解決しようとする課題】
【０００４】
しかしながら、特許文献１に開示されている従来技術は、決められた場所に配置された収納棚に収納された物品を管理するものであり、利用者にとっては必ずしも利便性が良いとは限らなかった。
本発明は、かかる課題に鑑み、管理情報読取装置により複数の物品に付された管理情報を一括して読み取り、その管理情報をネットワークを介してサーバに送信することにより、複数の管理情報読取装置により読み取られた物品の棚卸し管理を容易に且つ確実に行なう棚卸管理システムを提供することを目的とする。
【課題を解決するための手段】
【０００５】
本発明はかかる課題を解決するために、請求項１は、管理情報を記録した非接触情報記録媒体を付した物品をセットする物品セット部と、前記非接触情報記録媒体に対して前記管理情報をリード、又はライトするための電波を授受するアンテナと、前記非接触情報記録媒体との間で所定の変復調方式に基づく搬送電力の送信とデータの授受を行うリーダ又はリーダライタと、操作部と、ネットワークを介して外部サーバと通信を行なう通信手段と、前記リーダ又はリーダライタ及び前記通信手段を制御する制御部と、を備え、前記物品を前記物品セット部にセットした後、前記操作部を操作することにより読み取りを開始すると、前記制御部は、前記管理情報を前記アンテナを介して前記リーダ又はリーダライタにより読み取り、該管理情報を記憶することを特徴とする。
本発明は、ＰＣ等の情報処理装置を必要とせずに、非接触情報記録媒体の記録情報をリーダ又はリーダライタにより読み取って記憶することができる。また、記憶した情報を通信手段により外部のサーバに送信することができる。これにより、読み取った情報をサーバに記憶することができ、物品の棚卸し等を容易に行うことができる。
【０００６】
請求項２は、前記アンテナは、前記物品を前記物品セット部にセットした際に、少なくとも前記物品に付された非接触情報記録媒体との交信が可能な位置に配置されることを特徴とする。
非接触情報記録媒体に記録された情報は、物品を物品セット部にセットした際に確実に読み取られる必要がある。そのためには、アンテナを非接触情報記録媒体との交信が可能な位置に配置する必要がある。
請求項３は、許可された使用者に与えられたＩＤコードを記録した非接触情報記録媒体から前記ＩＤコードをリードするための電波を受信する他のアンテナを更に備えたことを特徴とする。
本発明の装置を操作する場合、誰が操作したかの履歴を残しておく必要がある。その場合、物品の情報を読み取るアンテナでＩＤコードを記録した非接触情報記録媒体を読み取りようにしても良いが、操作性を考えた場合、操作がし易い場所に他のアンテナを備えるのがベターである。
【０００７】
請求項４は、少なくともホルダを認識するＩＤを記録した非接触情報記録媒体を付したホルダに前記物品が少なくとも１つ以上収納されている場合、該ホルダを前記物品セット部にセットした後、前記操作部を操作することにより読み取りが開始されると、前記制御部は、前記ホルダＩＤ及び前記管理情報を前記アンテナを介して前記リーダ又はリーダライタにより読み取り、前記ホルダＩＤと前記管理情報とを関連付けて記憶することを特徴とする。
物品が例えば書類や小物である場合、ホルダ等の収容手段に収容した状態で纏めて一括して読み取る方が効率が良い。そこで本発明では、ホルダを認識するＩＤを記録した非接触情報記録媒体を付したホルダに物品を収納し、ホルダのＩＤと中身の物品の管理情報を関連付けて記憶しておくものである。
【０００８】
請求項５は、少なくとも１つ以上の請求項１乃至４の何れか一項に記載の管理情報読取装置と、サーバと、該サーバと前記管理情報読取装置との通信を仲介するネットワークと、を備え、前記サーバは、前記各管理情報読取装置の前記通信手段により送信される前記管理情報又は前記ホルダＩＤ及び前記管理情報を受信することにより、各管理情報読取装置により読み取られた物品の棚卸しを管理することを特徴とする。
本発明は、複数の管理情報読取装置をネットワークに接続して、そこからサーバに送信した管理情報に基づいて物品の棚卸しを行なうシステムである。
【発明の効果】
【０００９】
本発明によれば、物品を物品セット部にセットした後、操作部を操作することにより読み取りを開始すると、制御部は、管理情報をアンテナを介してリーダ又はリーダライタにより読み取り、この管理情報を記憶するので、１つの装置を繰り返し使用することにより、多数の物品の管理情報を記憶して管理することができる。
また、サーバは、各管理情報読取装置の通信手段により送信される管理情報又はホルダＩＤ及び管理情報を受信することにより、各管理情報読取装置により読み取られた物品の棚卸しを管理するので、大掛かりなシステムを構築する必要がなく、システムコストを最小限にすることができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、一般的なリーダライタの構成を示すブロック図である。このリーダライタ１００は、リーダライタ１００との間でデータの授受を行ってシステム全体を制御する制御部４０によって制御される。リーダライタ１００は、制御部４０とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＩＣカード（ＲＦタグ）との電力用搬送波とデータの授受をするループアンテナ９とを備えて構成されている。
【００１１】
次に、本構成によるリーダライタ１００の動作を説明する前に、ＩＣカード（ＲＦタグ）の構成を先に説明しておく。図２は、本発明のＩＣカード（ＲＦタグ）の構成を示すブロック図である。本実施形態のＩＣカード（ＲＦタグ）２００は、リーダライタ１００からの電力用搬送波によりデータの授受をするアンテナ２０と、書き込みコマンド読み出しコマンドを生成する送受信回路２１と、アンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＩＣカード（ＲＦタグ）２００の全体の動作を制御する制御回路２６から構成されている。
【００１２】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＩＣカード（ＲＦタグ）２００に供給する電力供給用信号と、ポーリング信号を交互に電力増幅器７から送信する。その信号は、ループアンテナ９から電磁波として外部に放射される。次に、ＩＣカード（ＲＦタグ）２００がリーダライタ１００に近接すると、アンテナ２０が電力供給用信号を受信し、電力生成回路２２によりその搬送波を整流して直流電力に変換して、ＲＦタグ内の全ての回路に供給する。電力を供給されて制御回路２６が駆動すると、メモリ装置２３に格納されたプログラムに従って、制御を開始する。
【００１３】
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してアンテナ２０から送信する。このレスポンスをリーダライタ１００がループアンテナ９で受信して、検波復調器８で２値化コードに変換し、制御回路２により解析してＩＣカード（ＲＦタグ）２００が規格に合致したＩＣカード（ＲＦタグ）であると認識する。それにより、以後リーダライタ１００とＩＣカード（ＲＦタグ）２００の間でポーリングが行われる。
【００１４】
図３は本発明の一実施形態に係るファイル読取装置の外観斜視図である。このファイル読取装置（管理情報読取装置）３２は、管理情報を記録したＲＦタグ２００ｂを付した書類（物品）３１を収納したホルダ３０をセットする物品セット部３３と、ＲＦタグ２００ｂに対して管理情報をリード、又はライトするための電波を授受するアンテナ９と、許可された使用者に与えられたＩＤコードを記録したＩＣカードに対してＩＤコードをリードするための電波を受信するアンテナ（他のアンテナ）３４と、ＲＦタグ２００ｂとの間で所定の変復調方式に基づく搬送電力の送信とデータの授受を行うリーダライタ（又はリーダ）１００と、テンキー３６、スタートボタン３８、ストップボタン３９及び表示部３５とブザー３７を備えた操作部４４と、ネットワーク４１介して図示しない外部サーバと通信を行なう図示しない通信手段４３（図４参照）と、リーダライタ１００、通信手段４３及び操作部４４を制御する図示しない制御部４０（図４参照）と、を備えて構成されている。尚、ホルダ３０には、ホルダを認識するＩＤを記録したＲＦタグ２００ａが付されている。また、アンテナ９は物品セット部３３の一部として構成され、ホルダ３０を物品セット部３３にセットした際に、少なくともホルダ３０及び書類３１に付されたＲＦタグ２００ａ、２００ｂとの交信が可能な位置に配置される。この実施形態では、物品セット部３３の側壁面に備えられている。また、装置前面にネットワーク４１と接続するためのインターフェース４２を備えている。
【００１５】
そしてホルダ３０を物品セット部３３に矢印の方向からセットした後、操作者がＩＣカードをアンテナ３４に近接してＩＤコードを認証させ、操作部４４のスタートボタン３８を押すことにより読み取りを開始する。制御部４０は、ＲＦタグ２００ａ、２００ｂに記録されている管理情報をアンテナ９を介してリーダライタ１００により読み取り、この管理情報を棚卸し情報として制御部４０内のメモリに記憶する。尚、メモリは記憶容量を節約するために、所定の容量を超過した場合は、通信手段４３によりネットワーク４１を介して外部のサーバに記憶するようにしても良い。また、棚卸しの時期になった場合は、テンキー３６により棚卸しのコードを入力することにより、物品セット部３３にセットされた物品の情報をネットワーク４１を介してサーバに送信することができる。
【００１６】
図４は本発明の一実施形態に係るファイル読取装置の機能ブロック図である。このファイル読取装置３２は、ＲＦタグ２００ｂに対して管理情報をリード、又はライトするための電波を授受するアンテナ９と、許可された使用者に与えられたＩＤコードを記録したＩＣカード２００に対してＩＤコードをリードするための電波を受信するアンテナ３４と、ＲＦタグ２００ｂとの間で所定の変復調方式に基づく搬送電力の送信とデータの授受を行うリーダライタ１００と、各コマンドをコードで入力するテンキー３６と、読み取りの開始を指示するスタートボタン３８と、操作を途中で中断するストップボタン３９と、ＬＣＤ等で構成される表示部３５と、異常状態を報知するブザー３７と、を有する操作部４４と、ネットワーク４１介して図示しない外部サーバと通信を行なう通信手段４３と、リーダライタ１００、通信手段４３及び操作部４４を制御する制御部４０と、を備えて構成されている。尚、アンテナ３４はアンテナ９を共通に使用した場合は無くても構わない。
【００１７】
図５は本発明の一実施形態に係るファイル読取装置の動作について説明するフローチャートである。この実施形態ではファイル管理とその棚卸しについて説明する。まず管理対象の書類に、その書類の管理情報（例えば、書類名、作成者、作成日等）を記録したＲＦタグ２００ｂを取り付ける（Ｓ１）。この動作を全ての書類について行い、例えば関連ある書類を１つのホルダに収納する。このときホルダにホルダ名が認識できるＩＤを記録したＲＦタグ２００ａを取り付ける（Ｓ２）。次に操作する人が所持するＩＣカード２００をアンテナ３４に近接してその人のＩＤコードを読み取らせる（Ｓ３）。制御部４０はそのＩＤコードを記憶して、これから始まる操作が誰によって行なわれたかを記憶する。次にホルダ３０を物品セット部３３にセットして（Ｓ４）、スタートボタン３８を押す（Ｓ５）。この信号を受信した制御部４０は、リーダライタ１００を駆動して各書類のＲＦタグの情報を読み取りメモリに記憶する（Ｓ６）。またホルダ３０に付されたＲＦタグ２００ａの情報を読み取って記憶する（Ｓ７）。このとき制御部４０は書類の管理情報とホルダ情報を関連付けてメモリに記憶していく（Ｓ８）。１つのホルダ内の情報を全て読み取ると、表示部３５にその旨を表示する（Ｓ９）。ここで、全ての書類の読み取りが完了したかをチェックし（Ｓ１０）、他のホルダがある場合は、物品セット部３３からホルダを取り出して次のホルダを用意して（Ｓ１３）ステップＳ４に戻って繰り返す。一方ステップＳ１０において、全ての書類の読み取りが完了すると（Ｓ１０でＹＥＳのルート）、制御部のメモリには読み取った管理情報がホルダ情報と関連付けて記憶されている。ここで、棚卸しを行なう場合は（Ｓ１１でＹＥＳのルート）、テンキー３６によりそのコードを入力することにより、制御部４０はメモリに記憶されている情報を通信手段４３によりネットワーク４１を介してサーバに送信する（Ｓ１２）。一方、ステップＳ１１で棚卸しを行なわないのであれば（Ｓ１１でＮＯのルート）、メモリに記憶した状態で終了する。
【００１８】
図６は本発明の一実施形態に係る棚卸管理システムのブロック図である。この棚卸管理システム３００は、複数のファイル読取装置（Ａ〜Ｘ）３２と、サーバ４５と、サーバ４５とファイル読取装置（Ａ〜Ｘ）３２との通信を仲介するネットワーク４１と、を備えて構成される。そしてサーバ４５は、各ファイル読取装置（Ａ〜Ｘ）３２の通信手段４３により送信される管理情報又はホルダＩＤ及び管理情報を受信することにより、各ファイル読取装置（Ａ〜Ｘ）３２により読み取られた物品の棚卸しを管理するものである。例えば、各ファイル読取装置（Ａ〜Ｘ）３２が各部署に設置され、会社全体のファイルの棚卸しを行なう場合、図５に示した手順に従って各部署単位にホルダに収納された書類の管理情報をネットワーク４１を介してサーバ４５に送信する。サーバ４５では、各部署から送られた情報を棚卸しファイル形式に従って処理して、会社全体のファイルの棚卸し結果を出力する。尚、本実施形態では棚卸しの場合について説明したが、棚卸しに限らず、日常的な書類の管理をリアルタイムに行うこともできる。
【００１９】
図７は本発明の一実施形態に係る棚卸管理システムにより処理された棚卸管理表の一例を示す図である。この棚卸し管理表には、部署名６０、ホルダ名６１、書類名６２、棚卸履歴６３が表示されるようになっている。例えば、部署名６０には、「総務部」、「開発部」といった部署名が表示され、「総務部」で管理しているホルダ名６１が「人事関係」、「勤務」が表示され、「開発部」で管理しているホルダ名６１が「設計書」、「企画書」、「計画書」が表示される。例として「総務部」の棚卸について説明すると、「人事関係」のホルダに収納されている書類を読み取ることにより、書類名６２として、「履歴書」「職歴書」「賞罰」の書類がホルダに収納されているのがわかる。また「勤務」のホルダに収納されている書類を読み取ることにより、書類名６２として、「残業記録」「勤務状態」の書類がホルダに収納されているのがわかる。そして棚卸履歴６３の欄には、例えば３ヶ月毎に棚卸を実施した記録が、「○：棚卸ＯＫ」、「×：棚卸ＮＧ」のマークとして表示される。ここで履歴書の書類の棚卸履歴は全て○であるので、紛失等がなく管理されていることがわかる。また職歴書は１〜３月の棚卸では○であるが、４〜６月の棚卸で×となり、この間に紛失したことが分かる。そして次の７〜９月の棚卸で発見されて○となっているのが分かる。このように、本発明の棚卸管理表は各棚卸実施時期の結果が一目瞭然とわかり、棚卸業務を容易に且つ確実に実施することができる。尚、この棚卸管理表は一例であり、他のフォーマットにより表示されても構わない。
【００２０】
以上の通り本発明によれば、書類３１を物品セット部３３にセットした後、操作部４４を操作することにより読み取りを開始すると、制御部４０は、管理情報をアンテナ９を介してリーダ又はリーダライタ１００により読み取り、この管理情報を記憶するので、１つの装置を繰り返し使用することにより、多数の書類の管理情報を記憶して管理することができる。
また、アンテナ９は、書類３１を物品セット部３３にセットした際に、少なくとも書類３１に付されたＲＦタグ２００ｂとの交信が可能な位置に配置されるので、書類３１を物品セット部３３にセットした際に確実に管理情報を読み取ることができる。
また、許可された使用者に与えられたＩＤコードを記録したＩＣカード２００に対してＩＤコードをリードするための電波を受信する他のアンテナ３４を更に備えたので、利用者の操作性を高めることができる。
【００２１】
また、少なくともホルダ３０を認識するＩＤを記録したＲＦタグ２００ａを付したホルダ３０に書類３１が少なくとも１つ以上収納されている場合、このホルダ３０を物品セット部３３にセットした後、操作部４４を操作することにより読み取りが開始されると、制御部４０は、ホルダＩＤ及び管理情報をアンテナ９を介してリーダ又はリーダライタ１００により読み取り、ホルダＩＤと管理情報とを関連付けて記憶するので、ホルダ３０と中身の書類３１との紐付けが行なわれ、どの書類がどのホルダに収納されているかを明確に認識することができる。
また、サーバ４５は、各ファイル読取装置３２の通信手段４３により送信される管理情報又はホルダＩＤ及び管理情報を受信することにより、各ファイル読取装置により読み取られた書類の棚卸しを管理するので、大掛かりなシステムを構築する必要がなく、システムコストを最小限にすることができる。
【図面の簡単な説明】
【００２２】
【図１】一般的なリーダライタの構成を示すブロック図である。
【図２】ＩＣカード（ＲＦタグ）の構成を示すブロック図である。
【図３】本発明の一実施形態に係るファイル読取装置の外観斜視図である。
【図４】本発明の一実施形態に係るファイル読取装置の機能ブロック図である。
【図５】本発明の一実施形態に係るファイル読取装置の動作について説明するフローチャートである。
【図６】本発明の一実施形態に係る棚卸管理システムのブロック図である。
【図７】本発明の一実施形態に係る棚卸管理システムにより処理された棚卸管理表の一例を示す図である。
【符号の説明】
【００２３】
３０  ホルダ、３１  書類、３２  ファイル読取装置、３３  物品セット部、９、３４  アンテナ、３５  表示部、３６  テンキー、３７  ブザー、３８  スタートボタン、３９  ストップボタン、４０  制御部、４１  ネットワーク、４２  通信インターフェース、４３  通信手段、４４  操作部、４５  サーバ、１００  リーダライタ（又はリーダ）、２００ａ、２００ｂ  ＲＦタグ、２００  ＩＣカード
【図１】
2007233768.tif 000003
【図２】
2007233768.tif 000004
【図３】
2007233768.tif 000005
【図４】
2007233768.tif 000006
【図５】
2007233768.tif 000007
【図６】
2007233768.tif 000008
【図７】
2007233768.tif 000009